(57)【特許請求の範囲】
【請求項１】
ハンガー本体の両側部に、両側アームの各基端側が枢着されて、その両側アームが略水平に開いた状態と、垂下して閉じた状態との間で揺動可能に構成される一方、前記ハンガー本体に前記両側アームを開いた状態にロックするロック機構が設けられた折り畳み式ハンガーであって、
前記ロック機構は、一対のレバーの各中間部が互い枢着され、かつ前記一対のレバーの各上端部同士および各下端部同士が接離するように開閉するクロスレバー部材と、前記クロスレバー部材を開く方向に付勢するための付勢手段とを備え、
前記ロック機構における前記一対のレバーの各下端部が前記両側アームの各基端部に対応して配置され、
前記両側アームが開いた状態では、前記付勢手段の付勢力によって前記クロスレバー部材が開いて、前記一対のレバーの各下端部の下側に、前記両側アームの各基端部の上側が係止することによって、前記両側アームがロックされる一方、
そのロック状態において、前記一対のレバーの各上端部を押し込んで前記クロスレバー部材を閉じることにより、前記一対のレバーの各下端部が前記両側アームの各基端部から退避してロックが解除されるようになっていることを特徴とする折り畳み式ハンガー。
【請求項２】
前記クロスレバー部材における前記一対のレバーの上端部間にバネ部材が架橋され、そのバネ部材が前記付勢手段として構成されている請求項１に記載の折り畳み式ハンガー。
【請求項３】
前記一対のレバーおよび前記バネ部材が一体に形成されている請求項２に記載の折り畳み式ハンガー。
【請求項４】
前記バネ部材の中間部に前記ロック機構を前記ハンガー本体に固定するための固定部が設けられている請求項２または３に記載の折り畳み式ハンガー。
【請求項５】
前記一対のレバーにおける各下端部の外側にカム面が設けられ、
前記両側アームを開き操作した際に、その両側アームの基端部が前記カム面に沿いつつ前記一対のレバーの下端部を前記付勢手段の付勢力に抗して押し込むようになっている請求項１〜４のいずれか１項に記載の折り畳み式ハンガー。
【発明の詳細な説明】
【技術分野】
【０００１】
この発明は、ハンガー本体の両側に開閉自在にアームが設けられた折り畳み式ハンガーに関する。
【背景技術】
【０００２】
衣類等を吊り下げて乾燥させたり、収納保管したりする際には衣類用のハンガーが使用されるが従来、このようなハンガーとして様々な構造のものが開発されている。例えば、ハンガー本体の両側に開閉自在にアームが設けられた折り畳み式ハンガーが周知である（特許文献１，２等）。
【０００３】
このような折り畳み式ハンガーは、ハンガー本体の下部両側に、左右のアームの基端側が枢着されており、その両側アームが開いて略水平に配置された状態と、両側アームが閉じて互いに垂直に配置された状態との間でアームが揺動（開閉）できるようになっている。さらにハンガー本体の内部には、ロック機構が設けられ、アームを閉じた状態から上方に持ち上げて開いた際にはアームがロック機構によって自動的にロックされて略水平状態に保持されるようになっている。またロック機構には、ロック解除操作部が設けられており、その操作部を操作することによって、ロック機構のアームに対するロックが解除されて、アームが自重により下方に揺動して閉じられて、折り畳めるようになっている。
【０００４】
このような折り畳み式ハンガーは、両側アームを開いてロックした状態でＴシャツ等の衣類を吊り下げて乾燥や保管等を行うが、その吊り下げたＴシャツを簡単に取り込むことができる。すなわち、Ｔシャツからハンガーを抜き取る場合、ロック機構のロックを解除してアームを閉じれば、ハンガーをＴシャツのネックホールから簡単に抜き取ることができ、高い利便性を備えている。
【先行技術文献】
【特許文献】
【０００５】
【特許文献１】特許第３６４４０１８号公報
【特許文献２】特許第５２４８６８８号公報
【発明の開示】
【発明が解決しようとする課題】
【０００６】
ところで一般的に、折り畳み式ハンガーにおいては、アームを開いてロックした状態で、所定の保持力を備える必要がある。例えばハンガーに厚手の重たい衣類を吊り下げた場合、あるいは吊り下げた衣類に手等が引っ掛かってアームを下向きに引っ張ってしまった場合等、ハンガーのアームに比較的大きい下向きの荷重が加わった場合に、アームがそのロックが解除されて閉じてしまうと、再度、アームを開いて衣類をハンガーに掛け直すという面倒な作業が必要となってしまう。特にこのような面倒な作業が頻繁に発生すると、使用者は不満を覚え、商品価値を低下させる要因となってしまう。従って、開いたアームが簡単に閉じてしまわないように、アームを開いてロックした状態での保持力を十分に確保する必要がある。
【０００７】
一方、折り畳み式ハンガーにおいて、衣類から取り外す場合、アームのロックを解除するが、そのロック解除操作自体が面倒であると、スムーズにハンガーを衣類から取り外すことができず、利便性が損なわれてしまう。従って、ロック解除操作が、例えば押しボタン操作等、簡単なワンタッチ操作で行えるような折り畳み式ハンガーであることが望ましい。
【０００８】
この発明は、上記の課題に鑑みてなされたものであり、アームを開いてロックした状態での保持力を十分に備える一方、ロック解除操作を簡単に行えてアームをスムーズに閉じることができる折り畳み式ハンガーを提供することを目的とする。
【課題を解決するための手段】
【０００９】
上記課題を解決するため、本発明は、以下の手段を備えるものである。
【００１０】
［１］ハンガー本体の両側部に、両側アームの各基端側が枢着されて、その両側アームが略水平に開いた状態と、垂下して閉じた状態との間で揺動可能に構成される一方、前記ハンガー本体に前記両側アームを開いた状態にロックするロック機構が設けられた折り畳み式ハンガーであって、
前記ロック機構は、一対のレバーの各中間部が互い枢着され、かつ前記一対のレバーの各上端部同士および各下端部同士が接離するように開閉するクロスレバー部材と、前記クロスレバー部材を開く方向に付勢するための付勢手段とを備え、
前記ロック機構における前記一対のレバーの各下端部が前記両側アームの各基端部に対応して配置され、
前記両側アームが開いた状態では、前記付勢手段の付勢力によって前記クロスレバー部材が開いて、前記一対のレバーの各下端部の下側に、前記両側アームの各基端部の上側が係止することによって、前記両側アームがロックされる一方、
そのロック状態において、前記一対のレバーの各上端部を押し込んで前記クロスレバー部材を閉じることにより、前記一対のレバーの各下端部が前記両側アームの各基端部から退避してロックが解除されるようになっていることを特徴とする折り畳み式ハンガー。
【００１１】
［２］前記クロスレバー部材における前記一対のレバーの上端部間にバネ部材が架橋され、そのバネ部材が前記付勢手段として構成されている前項１に記載の折り畳み式ハンガー。
【００１２】
［３］前記一対のレバーおよび前記バネ部材が一体に形成されている前項２に記載の折り畳み式ハンガー。
【００１３】
［４］前記バネ部材の中間部に前記ロック機構を前記ハンガー本体に固定するための固定部が設けられている前項２または３に記載の折り畳み式ハンガー。
【００１４】
［５］前記一対のレバーにおける各下端部の外側にカム面が設けられ、
前記両側アームを開き操作した際に、その両側アームの基端部が前記カム面に沿いつつ前記一対のレバーの下端部を前記付勢手段の付勢力に抗して押し込むようになっている前項１〜４のいずれか１項に記載の折り畳み式ハンガー。
【発明の効果】
【００１５】
発明［１］の折り畳み式ハンガーによれば、アームを開いてロックした状態では、レバーの下端部がアームの基端部を上方から抑え込むとともに、レバーの枢着部がアームの基端部よりも上方にかつ内側に配置されているため、アームを閉じる方向に強い力が作用したとしても、アームの基端部はレバーの下端部を押し上げようとしてレバーを開く方向、つまりレバーをロックする方向に回転させようとする。従ってロック状態が確実に維持され、アームが不用意に閉じてしまうような不具合を確実に防止することができる。さらにレバーの上端部を押し込むだけで、クロスレバー部材を閉じることができ、簡単にロックを解除することができ、スムーズにアームを閉じることができる。
【００１６】
また本発明においては、ロック機構の主構成部品として、一対のレバーの中間部同士を枢着したクロスレバー部材を採用しているため、ロック時やロック解除時の動作が安定して行われ、動作信頼性に優れた高品質のハンガー製品を提供することができる。
【００１７】
発明［２］の折り畳み式ハンガーによれば、上記の効果を、より確実に得ることができる。
【００１８】
発明［３］の折り畳み式ハンガーによれば、ロック機構を一物品によって構成することができるため、ロック機構の強度を向上できて、十分な耐久性を得ることができる。
【００１９】
発明［４］の折り畳み式ハンガーによれば、ロック機構をハンガー本体に、不具合なく確実に取り付けることができる。
【００２０】
発明［５］の折り畳み式ハンガーによれば、アームを開いた際にその開き状態に自動的にかつスムーズにロックすることができる。
【図面の簡単な説明】
【００２１】
【図１】図１はこの発明の実施形態である折り畳み式ハンガーをそのアームを開いた状態で示す正面断面図である。
【図２】図２は実施形態の折り畳み式ハンガーをそのアームを閉じた状態で示す正面断面図である。
【図３】図３は実施形態の折り畳み式ハンガーの要部をそのアームを開いてロックした状態で示す正面断面図である。
【図４】図４は実施形態の折り畳み式ハンガーの要部をそのクロスレバー部材を閉じた状態で示す正面断面図である。
【図５】図５は実施形態の折り畳み式ハンガーの要部をそのアームを閉じてクロスレバー部材を開いた状態で示す正面断面図である。
【図６】図６は実施形態の折り畳み式ハンガーに適用されたロック機構を示す正面図である。
【図７】図７は実施形態のロック機構を組立前の状態で示す正面図である。
【図８】図８はこの発明の変形例である折り畳み式ハンガーの要部をそのアームを開いてロックした状態で示す正面断面図である。
【図９】図９は変形例の折り畳み式ハンガーに適用されたロック装置を組立前の状態で示す正面図である。
【図１０】図１０はこの発明の変形例である折り畳み式ハンガーの本体部周辺を示す正面断面図である。
【発明を実施するための形態】
【００２２】
図１〜図５はこの発明の実施形態である折り畳み式ハンガーを示す正面断面図である。これらの図に示すように、この実施形態の折り畳み式ハンガーは、ハンガー本体１と、ハンガー本体１の上端部に取り付けられたフック２と、ハンガー本体１の両側下端部に設けられた左右両側のアーム（一対のアーム）３，３と、ハンガー本体１に設けられたロック機構４とを基本的な構成要素として備えている。
【００２３】
ハンガー本体１は、頂点が円弧状の略山型の形状を有しており、内部が中空の中空構造に形成されている。ハンガー本体１の上部両側壁には、操作ボタン用開口１１が形成されている。さらにハンガー本体１の両側部下端から下端部にかけての部分は、下側開口１２を介して開放されている。
【００２４】
フック２は、物干し等に引っ掛けることができる円弧状のフック本体２１と、フック本体２１の下端部に形成された取付軸部２２とを備えた合成樹脂の一体成形品によって構成されている。そして取付軸部２２がハンガー本体１の上端壁に上下方向の軸心回りに回転自在に取り付けられている。
【００２５】
本実施形態において、各アーム３は、ハンガー本体１側に配置される部分が基端側（内側）として構成されるとともに、その反対側に配置される部分が先端側（外側）として構成されている。
【００２６】
アーム３の基端側には、アーム開き状態において（図１および図３参照）、少し下向きに屈曲された取付部３１が形成されている。このアーム３の取付部３１における外側（先端側）の位置が軸部３５を介してハンガー本体１に枢着されるとともに、アーム３における取付部３１よりも外側（先端側）の部分がハンガー本体１の下側開口１２を介して外部に引き出された状態に配置される。そして、各アーム３は、その軸部３５を支点に回転自在に構成されて、図１に示すように略水平に開いた状態（開き状態）と、図２に示すように垂直に垂れ下がって閉じた状態（閉じ状態）との間で揺動できるようになっている。
【００２７】
またアーム３の取付部３１における端縁の下側には円弧状の湾曲部３２が形成されており、この湾曲部３２によって、後述するようにアーム３を開いた際に、ロック機構４のレバー５１をスムーズに押し込めるようになっている。
【００２８】
またアーム３はアーム長さ方向にスライド自在な補助アーム３６を有しており、必要に応じて、その補助アーム３６をスライドさせて外側に進出させることによって、アーム長さを長くできるようになっている。
【００２９】
なお、本実施形態において、アーム３の取付部３１は基端部として構成されている。
【００３０】
図６に示すように、ロック機構４は、クロスレバー部材５と、付勢手段としてのバネ部材６とを備えた合成樹脂の一体成形品によって構成されている。
【００３１】
クロスレバー部材５は、一対（２本）のレバー５１，５１を備えている。各レバー５１は、中間部において少し折曲された「く」の字状の形状を有しており、互いの中間部が後述の枢着用軸部６３を介して枢着されている。これにより、一対のレバー５１の各上端部同士および各下端部同士が近接する方向（閉じる方向）および離間する方向（開く方向）に回転することよって、クロスレバー部材５が開閉できるようになっている。なお本実施形態においては、レバー５１の上端部が一端部を構成するとともに、下端部が他端部を構成している。
【００３２】
各レバー５１の下端部の外側には、内側に凹陥形成された凹段部５２が形成されており、この凹段部５２の上端壁（天井壁）が係止部５３として構成されている。さらに各レバー５１の下部外側における凹段部５２の上方には、下方に向かうに従って次第に外側に向かうように傾斜するカム面５４が形成されている。
【００３３】
また各レバー５１の上端部には、略垂直に延びる操作ボタン５５がそれぞれ一体に形成されている。そして両操作ボタン５５を両側から挟むようにして内側に押し込むと、クロスレバー部材５が閉じるようになっている。
【００３４】
両操作ボタン５５間に架け渡されるように設けられるバネ部材６は、逆Ｕ字状の２つ（一対）のバネ片６１，６１を備えている。各バネ片６１の外側片は、対応する操作ボタン５５の上端部内側に一体的に連結固定されている。さらに一対のバネ片６１の内側片間には、固定部６２が一体に形成されている。この固定部６２には枢着用軸部６３が一体に形成されており、この軸部６３がクロスレバー部材５における一対のレバー５１の交差部に回転自在に貫通配置されて、既述したとおり、一対のレバー５１が枢着用軸部６３を介して互いに枢着されている。
【００３５】
各バネ片６１は、クロスレバー部材５を閉じる方向に弾性変形させた際には蓄勢し、その弾性復元力（付勢力）によってクロスレバー部材５を開く方向に付勢するようになっている。つまり、操作ボタン５５を両側から押し込んだ状態では、クロスレバー部材５が閉じられるものの、操作ボタン５５への押込力を解除してフリーな状態とすると、バネ片６２の弾性復元力によってクロスレバー部材５が開いてその開き状態に復帰するようになっている。
【００３６】
ここで既述したとおり、ロック機構４は合成樹脂の一体成形品によって構成されており、成形直後の組立前は図７に示すように一対のレバー５１が分離された状態である。そしてこの状態から一方のレバー５１を他方のレバー５１上に交差させつつ前後に重ね合わせるとともに、その両レバー５１の交差部に固定部６２の枢着用軸部６３を回転自在に貫通して配置することによって、図６に示すようにロック機構４が組み立てられるようになっている。
【００３７】
図３〜図５に示すように、この組立状態のロック機構４が、ハンガー本体１の内部に取り付けられる。すなわち、ロック機構４が、両側の操作ボタン５５をハンガー本体１における両側の操作ボタン用開口１１にそれぞれ臨まさせるようにしてハンガー本体１の内部に配置され、その状態でロック機構４の固定部６２がハンガー本体１の内側面に固定される。なお図２および図４に示すように、アーム３が閉じた状態では、アーム３の取付部３１は、レバー５１の下端部における外側に配置されている。
【００３８】
以上の構成の折り畳み式ハンガーにおいては、図２および図４に示すようにアーム３を閉じた状態からアーム３を上方に揺動させるように持ち上げていくと、アーム３の基端縁下部における湾曲部３２がレバー５１のカム面５４に当たり、アーム３の湾曲部３２がカム面５４を内側に押し込みつつカム面５４に沿って下方に移動していく。こうしてレバー５１がその下端部がアーム３に押されて内方（閉じる方向）に回転する一方、バネ片６１がその付勢力に抗して圧縮（蓄勢）されていく。そしてアーム３の基端縁がレバー５１のカム面５４を抜け出して凹段部５２に到達した時点で、レバー５１はアーム３による押込から開放されて、両レバー５１がバネ片６１の弾性復元力によって開く方向に回転して、レバー５１の係止部５３にアーム３の基端部上側が係止する。この係止によって図１および図３に示すように、アーム３の基端部が上方へ移動するのが阻止され、つまりアーム３が閉じる方向に揺動するのが阻止されて、アーム３が略水平に開いた状態に保持（ロック）される。
【００３９】
このロック状態で各アーム３をＴシャツ等の衣類のネックホールから挿入して、両アーム３にＴシャツを吊り下げる。その吊り下げ状態で、ハンガーのフック２を物干し竿等に引っ掛けることにより、Ｔシャツの乾燥等を行うことができる。
【００４０】
ここで本実施形態の折り畳み式ハンガーにおいては、アーム３を開いてロックした状態での保持力を十分に確保でき、アーム３を閉じる方向に強い力が作用したとしても、アーム３の開き状態でのロックが意に反して不用意に解除されるようなことはない。すなわち図３に示すように、本実施形態の折り畳み式ハンガーにおいて、ロック状態では、ロック機構４におけるレバー５１の下端部（係止部５３）がアーム３の基端部を上方から抑え込むとともに、レバー５１の支点（枢着用軸部６２）がアーム３の基端部よりも上方にかつ内側に配置されているため、アーム３の先端側（外側）に下向きの大きい荷重が加わって、アーム３が閉じる方向に揺動しようとした際には、アーム３の基端部がレバー５１の下端部を押し上げようとしてレバー５１を開く方向、つまりレバー５１をロックする方向に回転させようとする。このようにロック状態でアーム３が強い力で閉じられようとした場合、レバー５１がロック方向に回転しようとするため、ロック状態が確実に維持され、ロックが不用意に解除されるような不具合を確実に防止することができる。従って衣類を吊り下げた状態で不用意にロックが解除されてアーム３が閉じてしまうような不具合が発生するのを防止でき、再度、アーム３を開いて衣類をハンガーに掛け直すというような面倒な作業を行う必要もない。
【００４１】
一方図５に示すように、ハンガーをＴシャツから取り出す場合には、ロック機構４の両側の操作ボタン５５を例えば親指と人差し指とで両側から挟み込むように内側に押し込めば良い。これにより、クロスレバー部材５がバネ部材６の付勢力に抗して閉じられて、レバー５１の係止部５３がアーム３の基端部上側から内方に退避する。こうしてアーム３の水平状態でのロックが解除されて、アーム３は自重により下方（閉じる方向）に揺動して閉じられる。
【００４２】
なお図４に示すようにアーム３が閉じた状態で、ロック機構４における操作ボタン５５への押込を解除して、クロスレバー部材５を開いたとしても、アーム３の基端部はレバー５１の下端部の側方に配置されているため、互いに干渉し合うことがなく、アーム３は垂下した状態（閉じ状態）のままに維持される。
【００４３】
以上説明したように、本実施形態の折り畳み式ハンガーによれば、アーム３を開いてロックした状態での保持力を十分に確保できるため、アーム３を閉じる方向に強い力が作用したとしても、アーム３が不用意に閉じてしまうような不具合を確実に防止することができる。
【００４４】
さらにアーム３を開いてロックした状態において、ロック機構４の操作ボタン５５を内側に押し込むだけの簡単な操作でロックを解除できて、アーム３をスムーズに閉じることができる。
【００４５】
また本実施形態の折り畳み式ハンガーによれば、ロック機構４を一体成形品、つまり一つの物品によって構成しているため、ロック機構４自体の強度を十分に確保でき、破損等による動作不良の発生を確実に防止でき、高い信頼性および十分な耐久性を得ることができる。その上さらに、折り畳み式ハンガーの構成部品数も少なくでき、コストを削減することができる。
【００４６】
また本実施形態においては、ロック機構４の一部を構成するクロスレバー部材５は、一対のレバー５１の中間部同士を枢着した回転レバー方式であるため常時、安定した状態で開閉動作が行われる。このため、ロック機構４におけるロック時やロック解除時の動作が正確にかつスムーズに行われ、動作信頼性が高い高品質のハンガー製品を提供することができる。
【００４７】
さらに本実施形態では、クロスレバー部材５におけるレバー５１の軸部６３（固定部６２）をハンガー本体１に固定しているため、レバー５１を、より安定した状態で回転させることができ、一層動作信頼性を向上させることができる。
【００４８】
その上さらにレバー５１の回転支点（軸部６３）から下端部（作用点）までの距離を短くできるため、レバー自体の撓み等も少なくなり、レバー５１の回転動作を確実にアーム３に伝達できるとともに、逆にアーム３の回転動作も確実にレバー５１に伝達でき、より一層動作信頼性を向上させることができる。
【００４９】
また本実施形態において、ロック機構４の固定部６２は、レバー５１の回転動作やバネ片６１の伸縮動作にかかわらず変位しないため、その固定部６２をハンガー本体１に固定することによって、ロック機構４を、その動作等に悪影響を及ぼすことなく確実に固定することができる。
【００５０】
図８はこの発明の変形例である折り畳み式ハンガーの本体周辺部の正面断面図、図９はその変形例の折り畳み式ハンガーに採用されたロック機構４を説明するための正面図である。
【００５１】
両図に示すようにこの変形例の折り畳み式ハンガーにおいては、ロック機構４が２つの部品によって構成されており、この点が、上記実施形態の折り畳み式ハンガーに対し相違している。
【００５２】
すなわち図９に示すようにこの変形例の折り畳み式ハンガーにおけるロック機構４は、合成樹脂の一体成形品によってそれぞれ構成される第１ロック部材４１および第２ロック部材４２の２つの部材が組み付けられて形成されている。第１および第２ロック部材４１，４２は、レバー５１および操作ボタン５５をそれぞれ備えている。さらに第１および第２ロック部材４１，４２は、略下向きに開放された略半円弧状のバネ片６１を備え、各バネ片６１の外側片が操作ボタン５５の上端部にそれぞれ連結固定されるとともに、各バネ片６１の内側片にそれぞれ固定部片６２１，６２１が一体に形成されている。
【００５３】
図８および図９に示すように、このロック機構４においては、一方の固定部片６２１を他方の固定部片６２１に前後方向に重ね合わせて固定することによって、固定部６２が形成されると同時に、第１および第２ロック部材４１，４２が互いに連結される。こうして連結した状態でさらに、一方のレバー５１を他方のレバー５１上に交差させるように前後に重ね合わせるとともに、その両レバー５１の交差部に、固定部６２に形成された枢着用軸部６３を回転自在に貫通して配置することによって、この変形例のロック機構４が組み立てられるようになっている。
【００５４】
この組立状態のロック機構４が上記実施形態と同様にハンガー本体１に組み付けられる。
【００５５】
この変形例の折り畳み式ハンガーにおいて、他の構成は上記実施形態の折り畳み式ハンガーと実質的に同様であるため、同一または相当部分に同一符号を付して重複説明は省略する。
【００５６】
この変形例の折り畳み式ハンガーにおいても、上記実施形態と同様に同様の作用効果を奏するものである。例えばレバー５１の支点がアーム３の基端部よりも上方にかつ内側に配置しているため、アーム３を開いてロックした状態において、アーム３を閉じる方向に強い力が作用したとしても、レバー５１はロックする方向に回転しようとする。このため、アーム３を水平にロックした状態での保持力を十分に確保でき、ロックが不用意に解除されるような不具合が発生するのを防止することができる。さらにアーム３を開いてロックした状態から閉じる場合には、ロック機構４の操作ボタン５５を内側に押し込むだけで簡単に閉じることができる。
【００５７】
なお上記実施形態においては、フック２として、開環型のものを使用しているが、本発明においてフックのタイプは限定されるものではない。例えば本発明においては、物干し竿等を挟み込んで保持するようにしたピンチ型のフックや、開環部に開閉自在に外れ防止用のストッパーが設けられたフック等も用いることができる。
【００５８】
さらに本発明においては、ハンガー本体１に直接フック等を形成しなくとも良い。例えば図１０に示すように、本発明は、ハンガー本体１の上端部がＵ字状に形成されて、その両側片２５の上端部外側に取付軸部２６が形成された多数配列型の折り畳み式ハンガーにも採用することができる。この多数配列型の折り畳み式ハンガーは、下向きに開放された溝型の支持部材によって支持されるものである。例えば多数の折り畳み式ハンガーが前後方向に等間隔おきに多数配列された状態で、各ハンガーの両側片２５の上端部が溝型支持部材の溝内にそれぞれ収容されるとともに、各ハンガーの取付軸部２６が、溝型支持部材の両側壁にそれぞれ回転自在に支持される。そして溝型支持部材に設けられたフックが物干し竿等に引っ掛けられることにより、溝型支持部材を介して多数の折り畳みハンガーが吊持されるようになっている。
【００５９】
また上記実施形態等においては、ロック機構４における両レバー５１の上端部間にバネ部材６を架橋しているが、それだけに限られず、本発明においては、両レバー５１が閉じられた際に両レバー５１を開く方向に付勢できるものであれば、付勢手段の設置位置は限定されるものではない。例えば両レバーの下端部間にバネ部材等の付勢手段を設けるようにしても良い。
【００６０】
さらに上記実施形態等においては、付勢手段としての逆Ｕ字状の線加工バネを用いるようにしているが、本発明においては、付勢手段の構成も限定されるものではない。例えば、コイルバネ、ねじりコイルバネ、薄板バネ等の付勢手段を用いるようにしても良い。
【産業上の利用可能性】
【００６１】
この発明の折り畳み式ハンガーは、衣類等を吊り下げて乾燥させたり収納保管したりする際に用いることができる。
【符号の説明】
【００６２】
１：ハンガー本体
３：アーム
３１：取付部（基端部）
４：ロック機構
５：クロスレバー部材
５１：レバー
５４：カム面
６：バネ部材（付勢手段）
６２：固定部
【図１】
0005972241.tif 000002
【図２】
0005972241.tif 000003
【図３】
0005972241.tif 000004
【図４】
0005972241.tif 000005
【図５】
0005972241.tif 000006
【図６】
0005972241.tif 000007
【図７】
0005972241.tif 000008
【図８】
0005972241.tif 000009
【図９】
0005972241.tif 000010
【図１０】
0005972241.tif 000011